(57)【要約】【課題】装着具の操作性を向上することを可能にする。【解決手段】エアゾール容器１の容器本体１０の上部に装着される装着具２０であって、前記装着具２０を支持する手指が位置する指掛け領域２６６を形成する取手部２６と、前記容器本体１０のステム１６と嵌合するステム嵌合部材２２と、前記ステム嵌合部材２２と当接する当接部２８８、および前記当接部２８８の一側に位置する押圧領域２８２を有し、前記押圧領域２８２への押圧に応じて前記当接部２８８の他側に位置する回動中心周りに回動する回動部２８と、を備え、前記押圧領域２８２に含まれる点の回動軌跡の接線であって、前記回動部２８の回動範囲内のいずれかの位置に前記回動部２８があるときの前記点を通る接線上に、前記指掛け領域２６６が位置する、装着具。【選択図】図２
2019051956.tif 000002
【特許請求の範囲】
【請求項１】
エアゾール容器の容器本体の上部に装着される装着具であって、
前記装着具を支持する手指が位置する指掛け領域を形成する取手部と、
前記容器本体のステムと嵌合するステム嵌合部材と、
前記ステム嵌合部材と当接する当接部、および前記当接部の一側に位置する押圧領域を有し、前記押圧領域への押圧に応じて前記当接部の他側に位置する回動中心周りに回動する回動部と、を備え、
前記押圧領域に含まれるいずれかの点の回動軌跡の接線であって、前記回動部の回動範囲内のいずれかの位置に前記回動部があるときの前記点を通る接線上に、前記指掛け領域が位置する、装着具。
【請求項２】
前記回動部は、前記押圧領域への押圧を誘導する誘導部をさらに備える、請求項１に記載の装着具。
【請求項３】
前記取手部は、前記ステム嵌合部材が挿入される開口を有する基台から外側に延出する第１の領域と、前記第１の領域の端部から前記押圧領域と離れる方向に延出する第２の領域と、を含み、
前記第１の領域は、前記指掛け領域側に前記接線と垂直に交差する部分を有する、請求項１または２に記載の装着具。
【請求項４】
前記第２の領域は、前記第１の領域から離れるほど、前記接線との距離が近くなる面を前記指掛け領域側に有する、請求項３に記載の装着具。
【請求項５】
前記ステム嵌合部材は、
前記ステムと嵌合して前記ステムの往復移動の方向に沿って延出する筒状部と、
前記筒状部の中空部と連通しており、前記容器本体に収容されている内容液を吐出する吐出口を含むノズル部と、
を有し、
前記吐出口は、前記筒状部を基準として前記押圧領域と反対側に位置する、請求項１〜４のいずれか一項に記載の装着具。
【請求項６】
前記吐出口の先端は、前記筒状部を基準として前記吐出口の方向上で、前記装着具の前記ステム嵌合部材以外の部分よりも突出して位置する、請求項５に記載の装着具。
【請求項７】
前記押圧領域は前記回動中心よりも上側に位置する、請求項１〜６のいずれか一項に記載の装着具。
【請求項８】
エアゾール容器の容器本体と、
前記容器本体に装着された請求項１〜７のいずれか一項に記載の前記装着具と、
を備える、エアゾール容器。
【発明の詳細な説明】
【技術分野】
【０００１】
本発明は、特にエアゾール容器に装着される装着具に関する。
【背景技術】
【０００２】
エアゾール容器は、圧縮ガスおよび内容液を収容する容器本体、および容器本体に装着される装着具を有する。親指で装着具の押圧領域が押圧されると、装着具が容器本体のステムを押下げ、ステムに設けられたステム孔が開放される。ステム孔は装着具に設けられた吐出口に繋がる流路を形成し、内容液は、当該流路を介して圧縮ガスの圧力により吐出口から吐出される。
【０００３】
上述したエアゾール容器の装着具に関し、特許文献１および特許文献２には、利用者がエアゾール容器を手で持つ際に装着具を支持するためのハンドルまたは指掛口を有するエアゾール容器が開示されている。
【先行技術文献】
【特許文献】
【０００４】
【特許文献１】実公昭５５−４３５３１号公報
【特許文献２】実公昭５５−１１９１６９号公報
【発明の概要】
【発明が解決しようとする課題】
【０００５】
しかし、装着具の押圧領域と、装着具を支持するための部分との位置関係によっては、利用者が、装着具を操作し難いと感じる場合がある。例えば、装着具の押圧領域と、装着具を支持するための部分との位置関係によっては、押圧領域を押圧する押圧力の大部分が装着具全体を回転させるモーメントとして作用してしまう。この場合、ステムの押下げのために必要な押圧力が大きくなり、かつ、装着具を回転させるモーメントにより利用者が装着具を支持し難くなる。
【０００６】
本発明は、利用者の操作性が向上された装着具に関する。
【課題を解決するための手段】
【０００７】
上記課題を解決するために、本発明のある観点は、エアゾール容器の容器本体の上部に装着される装着具であって、前記装着具を支持する手指が位置する指掛け領域を形成する取手部と、前記容器本体のステムと嵌合するステム嵌合部材と、前記ステム嵌合部材と当接する当接部、および前記当接部の一側に位置する押圧領域を有し、前記押圧領域への押圧に応じて前記当接部の他側に位置する回動中心周りに回動する回動部と、を備え、前記押圧領域に含まれるいずれかの点の回動軌跡の接線であって、前記回動部の回動範囲内のいずれかの位置に前記回動部があるときの前記点を通る接線上に、前記指掛け領域が位置する、装着具に関する。
【発明の効果】
【０００８】
以上説明したように本発明の装着具によれば、利用者の操作性を改善することが可能である。
【図面の簡単な説明】
【０００９】
【図１】本発明の実施形態によるエアゾール容器の外観を示す斜視図である。
【図２】アクチュエータおよび連結部材の分解斜視図である。
【図３】Ｉ−Ｉ線断面を示すアクチュエータおよび連結部材の断面図である。
【図４Ａ】アクチュエータの平面図である。
【図４Ｂ】第１のガイド部を含む部分の拡大図である。
【図５】連結部材およびアクチュエータの載置状態を示す説明図である。
【図６】待機状態における、ＩＩ−ＩＩ線断面を示すアクチュエータおよび連結部材の断面図である。
【図７】押圧状態における、ＩＩ−ＩＩ線断面を示すアクチュエータおよび連結部材の断面図である。
【図８】押圧領域と指掛け領域との位置関係を示す説明図である。
【図９】押圧領域と指掛け領域との位置関係を示す説明図である。
【図１０】ロックピンの斜視図である。
【図１１】応用例によるアクチュエータの外観を示す説明図である。
【図１２】容器本体の断面図である。
【発明を実施するための形態】
【００１０】
以下に添付図面を参照しながら、本発明の実施の形態について詳細に説明する。なお、本明細書及び図面において、実質的に同一の機能構成を有する構成要素については、同一の符号を付することにより重複説明を省略する。
【００１１】
＜エアゾール容器の概略構成＞
本発明の実施形態は、アクチュエータを有するエアゾール容器に関する。まず、図１を参照し、本発明の実施形態によるエアゾール容器の概略構成を説明する。
【００１２】
図１は、本発明の実施形態によるエアゾール容器１の外観を示す斜視図である。図１に示したように、実施形態によるエアゾール容器１は、容器本体１０、連結部材１２およびアクチュエータ２０を有する。
【００１３】
容器本体１０は、一端に底部を有し他端に開口を有する円筒部、および円筒部の開口を塞ぐマウンテンカップを有する。円筒部およびマウンテンカップにより形成される閉空間は、圧縮ガスおよび内容液などが収容される収容空間として用いられる。図１２に示した容器本体１０の断面図のように、収容空間においては、例えば、内容液を収容する内袋１８がマウンテンカップ１４に嵌挿されたステム１６の下端側を覆い、当該内袋１８と容器本体１０の外壁との間に圧縮ガスが充填される。この場合、ステム１６の押下げによりステム孔が開放されると、内袋１８に収容された内容液が、圧縮ガスの圧力によりステム孔を介してアクチュエータ２０側へ押し出される。
【００１４】
連結部材１２は、容器本体１０とアクチュエータ２０を連結する部材である。連結部材１２は、詳細については図２および図３に示すように、マウンテンカップ１４の環状突出部１４ａに嵌合する環状溝、および、アクチュエータ２０と脱着可能に螺合される螺合部を有する。なお、本明細書において、環状は、ある領域を取り囲う形状であり、当該形状は円形であってもよいし、角形であってもよく、また、全体に亘って連続していてもよいし、断続的であってもよい。
【００１５】
アクチュエータ２０は、連結部材１２を介して容器本体１０の上部に装着される装着具である。利用者は、アクチュエータ２０を操作することにより、エアゾール容器１に内容液を吐出させることが可能である。このようなアクチュエータ２０は、図１に示したように、ステム嵌合部材２２、基台２４、取手部２６および回動部２８を有する。
【００１６】
ステム嵌合部材２２は、容器本体１０に嵌挿されたステム１６に嵌合する部材である。ステム嵌合部材２２は、内容液の流路を形成するノズル部２３０を有し、ノズル部２３０は先端に内容液を吐出する吐出口２３２を有する。利用者が、例えば取手部２６を人差指および中指で握り、親指で回動部２８の押圧領域２８２を押圧すると、回動部２８が回動中心Ｒ周りに回動することでステム嵌合部材２２およびステムが回動部２８に押下げられ、吐出口２３２から容器本体１０の内容液が吐出される。
【００１７】
なお、内容液の種類は特に限定されず、内容液は、ボディソープ、シャンプー、リンス、トリートメント、染色剤（例えば染毛剤）、香水、飲料液または食品（例えば、醤油、味噌、酢、ホイップクリーム等）であってもよく、水と併用して用いるボディソープ、シャンプー、リンス、トリートメント、染毛剤がより適している。内容液が染毛剤である場合、例えば利用者は浴室においてシャンプーで洗髪して、タオルで髪から水気を取った後に、当該エアゾール容器１を利用する。エアゾール容器１の利用方法としては、利用者が、手袋を着用し、一方の手でアクチュエータ２０を操作し、他方の手で吐出口２３２から吐出される内容液を受け、内容液を髪につけ、数分間後に内容液が付いた髪をすすぐ方法が考えられる。このような内容液の３０℃における粘度は、好ましくは１０００ｍＰａ・ｓ以上１０００００ｍＰａ・ｓ以下であり、１００００ｍＰａ・ｓ以上であることがより好ましく、ある観点によれば３００００ｍＰａ・ｓ以上であることがさらに好ましく、別の観点によれば８００００ｍＰａ・ｓ以下であることがより好ましい。ここで粘度は、環境温度３０℃で測定される粘度であって、ヘリカルスタンド付きＢ型粘度計（例えば東機産業株式会社  ＴＶＢ−１０型）を用い、回転速度１０ｒｐｍ、回転時間１分間にて、粘度に応じた適切なＴ形スピンドルを用いて測定することができる。また、容器本体１０、連結部材１２およびアクチュエータ２０は、各々、金属製であってもよいし、合成樹脂製であってもよい。
【００１８】
また、本明細書においては、エアゾール容器１の高さ方向を上下方向（図１に示したＺ方向）と称し、容器本体１０に対してアクチュエータ２０が位置する側を上側と称し、上側の反対側を下側と称する。また、上下方向に直交する方向であってノズル部２３０の延出方向に沿う方向を前後方向（図１に示したＸ方向）と称し、エアゾール容器１の上下方向に沿う中心軸に対して吐出口２３２が位置する側を前側と称し、前側の反対側を後側と称する。また、上下方向および前後方向と直交する方向を幅方向（図１に示したＹ方向）と称する。
【００１９】
＜アクチュエータの構成＞
以上、本発明の実施形態によるエアゾール容器１の概略構成を説明した。続いて、連結部材１２の説明を交えながら、アクチュエータ２０の構成をより詳細に説明する。
【００２０】
図２は、アクチュエータ２０および連結部材１２の分解斜視図である。図３は、図１に示したＩ−Ｉ線断面を示すアクチュエータ２０および連結部材１２の断面図である。図４Ａは、回動部２８以外の構成を示すアクチュエータ２０の平面図である。図２においては、回動部２８が基台２４に対して開かれた状態が示されている。
【００２１】
（連結部材１２）
連結部材１２は、容器本体１０とアクチュエータ２０を連結する部材である。図２および図３に示したように、連結部材１２は、環状溝１２１、開口１２２、螺合部１２４、下端縁部１２６を有する。環状溝１２１は、連結部材１２の下面側に環状に設けられた溝であり、当該環状溝１２１に図３に示したマウンテンカップ１４の環状突出部１４ａが嵌合する。開口１２２は、エアゾール容器１の中心軸上に位置し、当該開口１２２にステム嵌合部材２２が挿入される。螺合部１２４は、連結部材１２の外周の外側面に形成されており、基台２４に内側を向いて形成された螺合部２４１と螺合する。
【００２２】
下端縁部１２６は、連結部材１２の下端に位置する環状の縁部である。幅方向から連結部材１２を見た際の下端縁部１２６の形状は、前後方向上の中央の位置において最も下側に膨らむ凸形状である。このため、連結部材１２にアクチュエータ２０が螺合された状態において、図５に示すように、取手部２６の下端と、下端縁部１２６上の２点との計３点が載置面に接する。従って、載置面において連結部材１２およびアクチュエータ２０を安定的に支持することが可能である。
【００２３】
（ステム嵌合部材２２）
ステム嵌合部材２２は、図２〜図４Ａに示したように、筒状部２２０、２つの張出部２２４、２つの第１の板部２２５、第２の板部２２６、およびノズル部２３０を有する。
【００２４】
筒状部２２０は、ステム１６の往復移動の方向、すなわち、上下方向に沿って延出しており、上下方向に沿う中空部２２１を有する。中空部２２１の上端は筒状部２２０の天面２２８により終端され、中空部２２１の下端には、ステム１６が脱着可能に嵌合される開口２２２が位置する。なお、以下では開口２２２とステム１６の関係に関して嵌合という表現を用いるが、開口２２２とステム１６は結合または外嵌などの表現に適合する関係を有してもよい。また、図２においては筒状部２２０が円柱形である例を示しているが、筒状が意味する形状は、円柱形に限定されず、角柱形であってもよいし、円錐台であってもよいし、角錐台であってもよい。
【００２５】
各張出部２２４は、ノズル部２３０の延出方向、すなわち前後方向と交差する方向に筒状部２２０から張り出している部材である。各張出部２２４は、図４Ａに示したように、筒状部２２０の幅方向の両側から幅方向に沿って張り出してもよい。この張出部２２４の上面は、上側に頂部を有する曲面で構成されることが望ましい。例えば、張出部２２４の形状は図２に示したように、幅方向に高さを有する円柱形状であってもよい。また、図２に示したように、張出部２２４は筒状部２２０の天面２２８より下側の位置に形成されている。なお、本明細書においては、筒状部２２０から２つの張出部２２４が張り出す例を説明するが、筒状部２２０から張り出す張出部２２４の数は２つに限定されず、３つ以上のより多くの張出部２２４が筒状部２２０から張り出してもよい。
【００２６】
２つの第１の板部２２５および第２の板部２２６は、筒状部２２０から異なる方向に張り出している部材である。各第１の板部２２５は、張出部２２４と同様に筒状部２２０の幅方向の両側から幅方向に沿って張り出してもよい。第２の板部２２６は、筒状部２２０の後側から前後方向に沿って張り出している部材である。
【００２７】
ノズル部２３０は、吐出口２３２、および筒状部２２０の中空部２２１と吐出口２３２を連通する内容液の流路２３４を有する。図３に示したように、吐出口２３２は、筒状部２２０を基準とする吐出口２３２の方向上で、アクチュエータ２０のステム嵌合部材２２以外の部分よりも、半径方向外側に突出して位置し得る。さらに、吐出口２３２の吐出側先端は、容器本体１０の外周面よりも前側に突出して位置し得る。かかる構成によれば、吐出口２３２から垂れ落ちた内容液がアクチュエータ２０または容器本体１０に付着することを抑制できる。
【００２８】
（基台２４）
基台２４は、図２〜図４Ａに示したように、螺合部２４１、開口２４２、回動規制面２４３、２つの第１のガイド部２４４、第２のガイド部２５０、および２つの薄肉部２５６を有する。
【００２９】
螺合部２４１は、上下方向に高さを有する環状壁の内側面に形成されており、連結部材１２の螺合部１２４と螺合する。開口２４２は、エアゾール容器１の中心軸上に位置し、当該開口１２２にステム嵌合部材２２が挿入される。回動規制面２４３は、基台２４の前側から開口２４２の中心側に張り出している部分である。回動規制面２４３が開口２４２の中心側に張り出していることにより、回動規制面２４３の幅方向上の両端には開口２４２が隣接する。
【００３０】
第１のガイド部２４４は、開口２４２の幅方向上の両側に、上下方向に沿って延出している。第１のガイド部２４４は、筒状部２２０から張り出す第１の板部２２５が摺動する上下方向に沿った縦穴（開口）２４６、および第１の板部２２５の幅方向上の先端が当接する当接面２４７を有する。このため、第１の板部２２５の前後方向上の移動が縦穴２４６の縁によって規制され、第１の板部２２５の幅方向上の移動が当接面２４７によって規制される。すなわち、第１のガイド部２４４は、第１の板部２２５を有するステム嵌合部材２２の上下方向に沿った往復移動をガイドする。
【００３１】
図４Ｂは、図４Ａに二点鎖線で示した一方の第１のガイド部２４４を含む部分の拡大図である。縦穴２４６の当接面２４７側であって、第１の板部２２５の両側には、図４Ｂに示したように上下に貫通する中空部Ｅが存在する。図４Ｂには一方の第１のガイド部２４４に存在する中空部Ｅを示しているが、他方の第１のガイド部２４４にも同様に中空部Ｅが存在する。第１のガイド部２４４と第１の板部２２５とが接触する位置に内容液が付着した場合であっても、内容液が中空部Ｅに移動することが期待されるので、内容液がステム嵌合部材２２の往復移動に与える影響を抑制することができると考えられる。また、中空部Ｅの存在により、第１の板部２２５が第１のガイド部２４４を摺動する際に生じる摩擦が軽減される効果も得られる。
【００３２】
なお、図２〜図４では、２つの第１のガイド部２４４および２つの第１の板部２２５が設けられる例を説明したが、第１のガイド部２４４の数および第１の板部２２５の数は２つに限定されない。例えば、第１のガイド部２４４の数および第１の板部２２５の数は、３つ以上であってもよい。第１のガイド部２４４の数および第１の板部２２５の数が多いほど、ステム嵌合部材２２のより安定的な往復移動を実現できると考えられる。
【００３３】
第２のガイド部２５０は、開口２４２の後側に上下方向に沿って延出している壁部、壁部から前側に突出する２つの垂直面部２５２、および壁部から前側に突出する２つの水平面部２５４を有する。２つの垂直面部２５２は、幅方向上で離隔しており、２つの垂直面部２５２の間を、筒状部２２０から張り出す第２の板部２２６が摺動する。また、第２の板部２２６の前後方向上の先端が第２のガイド部２５０の壁部に当接する。このため、第２の板部２２６の幅方向上の移動が２つの垂直面部２５２によって規制され、第２の板部２２６の前後方向上の移動が壁部によって規制される。
【００３４】
各薄肉部２５６は、基台２４の前側の縁部に形成されており、基台２４と回動部２８を接続する。薄肉部２５６は柔軟性を有するので、２つの薄肉部２５６により回動部２８の回動中心Ｒが形成され、回動部２８が回動中心Ｒ周りに回動することが可能である。なお、薄肉部２５６は、回動中心Ｒを形成するための構成の一例であり、薄肉部２５６に代えて、ヒンジ機構により回動中心Ｒを形成することも可能である。
【００３５】
（取手部２６）
取手部２６は、基台２４の後側の外周壁から後側に延出する第１の領域２６２、および第１の領域２６２の端部から押圧領域２８２と離れる方向（すなわち、下側）に延出する第２の領域２６４を有する。
【００３６】
図３に示したように、第１の領域２６２と第２の領域２６４により指掛け領域２６６が形成される。指掛け領域２６６は、利用者の手指（例えば、人差し指、中指および薬指）が掛けられることが予定される領域である。利用者は、指掛け領域２６６に手指を掛けて取手部２６を握ることにより、エアゾール容器１を支持することが可能である。また、取手部２６に内容液が付着すると手指の滑りが生じ得るところ、この取手部２６は吐出口２３２と反対側に位置するので、吐出口２３２から吐出された内容液の取手部２６への付着を抑制することが可能である。
【００３７】
なお、第１の領域２６２は、基台２４から離れるほど全体的にせり上がる。また、第１の領域２６２の指掛け領域２６６側の縁は上側に凹む曲線形状を有する。このため、第１の領域２６２の指掛け領域２６６側の縁において上側に凹む部分に利用者の手指が適切に誘導される。
【００３８】
（回動部２８）
回動部２８は、２つの薄肉部２５６を介して基台２４と接続され、回動中心Ｒ周りに、基台２４に近づく方向、または基台２４から離れる方向に回動する。このような回動部２８は、図２および図３に示したように、押圧領域２８２、２つの回動規制フック２８４、２つの当接部２８８、および２つの突出部２８９を有する。
【００３９】
押圧領域２８２は、利用者が回動部２８を回動させるために手指（例えば、親指）で力を加える領域である。押圧領域２８２は、２つの回動規制フック２８４と基台２４の回動規制面２４３が係合する待機状態において、例えば２つの当接部２８８を基準にして吐出口２３２と反対側である後側に位置する。押圧領域２８２に内容液が付着すると手指の滑りが生じ得るところ、上記のように吐出口２３２と押圧領域２８２を相反する側に配置することにより、吐出口２３２から吐出された内容液の押圧領域２８２への付着を抑制することが可能である。また、押圧領域２８２は、回動中心Ｒより上側に位置し、回動部２８の回動のために必要な押圧力が軽減される。
【００４０】
押圧領域２８２には、利用者による押圧領域への押圧を誘導する誘導部が形成される。誘導部は、好ましくは凹部、凹凸部、表示部（例えば、文字、記号または模様を表示する部分）、パターン形成部およびエンボス部から選ばれる１つ、または２以上の組合わせであってもよい。図１に示した誘導部は、凹部、および複数の同心円状の円弧を描くパターン形成部の組合わせである。誘導部は、利用者による押圧領域２８２への押圧を誘導すると共に、利用者が押圧領域２８２を押圧する際の手指の滑りを抑制することが可能である。誘導部を粗面または弾性材で形成することにより、手指の滑りをさらに抑制することも可能である。
【００４１】
なお、押圧領域２８２が設けられる回動部２８の天面は、ノズル部２３０の天面と概ね面一である。すなわち、エアゾール容器１を後側上方の視点から見た際に、利用者の視点とノズル部２３０の先端の間を遮る構造物が存在しない。このため、利用者は、エアゾール容器１を使用する際にノズル部２３０の先端を視認することにより、内容液の吐出方向を容易に把握することが可能である。
【００４２】
回動規制フック２８４は、図３に示したように、回動部２８の当接部２８８よりも回動中心Ｒ（薄肉部２５６）側の位置から、基台２４側に延出している。２つの回動規制フック２８４は幅方向上で離隔しており、２つの回動規制フック２８４の先端には、各々対向するように爪２８６が設けられる。２つの回動規制フック２８４が基台２４の回動規制面２４３を両側から挟み込み、２つの回動規制フック２８４の爪２８６が回動規制面２４３の下面と係合する。爪２８６と回動規制面２４３との係合により、回動部２８が基台２４から離れる方向への回動が規制される。また、２つの回動規制フック２８４が回動規制面２４３を両側から挟み込むことにより、回動部２８の幅方向上でのブレを抑制することが可能である。
【００４３】
当接部２８８は、ステム嵌合部材２２の張出部２２４と当接する部分である。張出部２２４に当接する当接部２８８の面は、図２に示したように、張出部２２４と反対側に凹みを有する曲面で構成される。当該当接部２８８と張出部２２４との接点が、押圧領域２８２に加えられた力の作用点となる。
【００４４】
突出部２８９は、回動部２８の当接部２８８よりも押圧領域２８２側の位置から基台２４側に突出している部分である。各突出部２８９は、待機状態において、基台２４の各水平面部２５４と略同一の高さであって、各水平面部２５４の外側に位置するように形成される。
【００４５】
＜アクチュエータの動作＞
以上、アクチュエータ２０の構成を説明した。続いて、図６および図７を参照し、アクチュエータ２０の動作を説明する。
【００４６】
図６は、待機状態における、図４Ａに示したＩＩ−ＩＩ線断面を示すアクチュエータ２０および連結部材１２の断面図である。図７は、押圧状態における、図４Ａに示したＩＩ−ＩＩ線断面を示すアクチュエータ２０および連結部材１２の断面図である。
【００４７】
図６に示したように、利用者が押圧領域２８２を押圧していない待機状態において、回動部２８の当接部２８８と、ステム嵌合部材２２の張出部２２４が当接している。当該待機状態において、利用者が例えば取手部２６を人差指および中指で握り、親指で押圧領域２８２への押圧を開始すると、回動部２８が回動中心Ｒ周りに、基台２４に近づく方向に回動し始める。
【００４８】
回動部２８の回動に伴い、回動部２８の当接部２８８が、張出部２２４を介してステム嵌合部材２２を押下げ、結果、図７に示したように、ステム１６がステム嵌合部材２２により押下げられる。これにより、容器本体１０の内容液がステム孔を介し容器本体１０からステム嵌合部材２２に流出し、ステム嵌合部材２２の吐出口２３２から吐出される。利用者が押圧領域２８２への押圧を終了すると、ステム１６の付勢力によりステム嵌合部材２２が押し上げられ、ステム嵌合部材２２の張出部２２４が当接部２８８を押し上げることにより回動部２８が回動中心Ｒ周りに回動し、アクチュエータ２０は待機状態に戻る。
【００４９】
＜作用効果＞
本発明の実施形態においては、２つの当接部２８８が押圧領域２８２に加えられた力の作用点となり、２つの当接部２８８がステム嵌合部材２２を押下げるので、ステム嵌合部材２２の天面２２８を１点で押下げる場合と比較して、ステム嵌合部材２２およびステム１６の安定的な押下げを実現することが可能である。
【００５０】
また、２つの当接部２８８に当接する２つの張出部２２４は、筒状部２２０の天面２２８より下側に位置する、すなわち、天面２２８よりステム１６の近くに位置する。本発明の実施形態では、アクチュエータ２０が連結部材１２を介して容器本体１０と連結されるので、ステム嵌合部材２２の筒状部２２０が相応の高さを有する必要がある。このため、仮に天面２２８にステム嵌合部材２２を押下げる力が加えられた場合、押下げの方向にブレが生じやすく、押下げが不安定になり得る。これに対し、本発明の実施形態では、上記のように天面２２８よりステム１６に近い位置にステム嵌合部材２２を押下げる力が加えられるので、ステム嵌合部材２２およびステム１６をより安定的に押下げることが可能となる。
【００５１】
また、本発明の実施形態においては、当接部２８８が張出部２２４と反対側に凹みを有する曲面で構成される。このため、回動部２８の回動範囲のいずれかの位置に回動部２８があるときに、張出部２２４の上側の頂部を当接部２８８に当接させることが可能となる。例えば、図６に示したように、待機状態において張出部２２４の上側の頂部が当接部２８８に当接してもよい。かかる構成によれば、当接部２８８がステム１６の往復移動の方向に等しい上下方向の力を張出部２２４に加えることが可能となるので、ステム嵌合部材２２およびステム１６のより安定的な押下げを実現できる。
【００５２】
さらに、本発明の実施形態においては、押圧領域２８２と指掛け領域２６６とが有する位置関係に基づき、利用者がより少ない力でアクチュエータ２０を操作することが可能となる。以下、押圧領域２８２と指掛け領域２６６とが有する位置関係について詳述する。
【００５３】
＜押圧領域と指掛け領域との位置関係＞
押圧領域２８２に含まれるいずれかの点の回動軌跡の接線であって、回動部２８の回動範囲内のいずれかの位置に回動部２８があるときの点を通る接線上に、取手部２６により形成される指掛け領域２６６が位置する。上記点は、押圧領域を上側から平面視したときの押圧領域の図心であってもよい。回動部２８を親指で押圧する際に親指の指紋中心が上記図心に一致または近接するように、また、回動部２８のコンパクトの観点から、上記図心は回動部２８の回動中心Ｒと反対側の端部から５ｍｍ〜１０ｍｍ離れて位置することが好ましい。図８に示すように、押圧領域２８２の図心Ｐの回動軌跡Ｔの接線であって、待機状態における図心Ｐを通る接線は、接線Ｌ１である。押圧領域２８２が回動中心Ｒよりも上側に位置するので、当該接線Ｌ１は下側に向かうほどエアゾール容器１の中心軸から離れるように傾斜する。取手部２６により形成される指掛け領域２６６は図８に示したように当該接線Ｌ１上に位置してもよい。
【００５４】
指掛け領域２６６には例えば人差し指が掛けられ、当該人差し指と取手部２６の第１の領域２６２との接点がエアゾール容器１の全体の回転支点となり得る。このため、上記の押圧領域２８２と指掛け領域２６６との位置関係においては、押圧領域２８２に加えられた力は上記回転支点に向かう力となる。従って、押圧領域２８２に加えられた力により生じる回転支点周りのモーメントが抑制されるので、利用者はより少ない力でアクチュエータ２０を操作することが可能となる。具体的には、内容液の吐出のための、利用者が取手部２６を握る力、および押圧領域２８２を押圧する力を低減することが可能である。このため、利用者が押圧領域２８２を長時間に亘って押圧し続ける場合でも押圧状態の維持が容易になる。
【００５５】
また、第１の領域２６２は、図８に示したように、指掛け領域２６６側に接線Ｌ１と垂直に交差する部分２６２ａを有する。かかる構成によれば、押圧領域２８２に接線Ｌ１方向に加えられる力と、部分２６２ａにおいて同接線Ｌ１方向に加えられる力とが平衡することになる。すなわち、部分２６２ａにおいて接線Ｌ１と交差する方向への力が生じ難いので、手袋を着用した手指で内容液が付着した取手部２６を支持する場合であっても、取手部２６を支持する手指の滑りを抑制することが可能である。なお、上記の部分２６２ａと押圧領域２８２の図心Ｐとの距離ｄは、好ましくは１０ｍｍ以上２０ｍｍ以下であって、１２ｍｍ以上がより好ましく、１６ｍｍ以上がさらに好ましく、１８ｍｍ以下がより好ましく、１７ｍｍ以下がさらに好ましい。当該距離ｄの設計により、利用者によるアクチュエータ２０の操作性を向上可能である。ここで、上記の距離ｄは、待機状態における部分２６２ａと押圧領域２８２の図心Ｐとの距離であり、待機状態とは、押圧領域２８２に力を加えていない状態である。
【００５６】
また、取手部２６の第２の領域２６４は、下側に向かうほど接線Ｌ１との距離が近くなる面を指掛け領域２６６側に有する。図８においては、当該面の形成方向を直線Ｌ２で示している。かかる構成によれば、回動部２８の回動過程においても、押圧領域２８２に加えられた力によりエアゾール容器１全体に生じるモーメントが抑制され得る。以下、図９を参照してより詳細に説明する。
【００５７】
図９は、指掛け領域２６６における手指の位置を示す説明図である。図９に示した例では、指掛け領域２６６には、上側から順に、人差し指Ｆ１、中指Ｆ２および薬指Ｆ３が位置する。人差し指Ｆ１の中心Ｏ１は接線Ｌ１上に位置している。一方、第２の領域２６４が接線Ｌ１と平行でない面を有することにより、中指Ｆ２の中心Ｏ２および薬指Ｆ３の中心Ｏ３は、接線Ｌ１よりエアゾール容器１の中心軸側に位置している。
【００５８】
ここで、押圧領域２８２の図心Ｐの回動軌跡Ｔの接線の傾きは、回動部２８の回動状態に応じて変化する。例えば、回動部２８が回動し、押圧領域２８２の図心Ｐが位置Ｑにある場合、図心Ｐの回動軌跡Ｔを通る接線は、接線Ｌ１と異なる傾きを有する接線Ｌ１’である。図９に示した例では、接線Ｌ１’上に薬指Ｆ３の中心Ｏ３が位置する。押圧領域２８２の図心Ｐが位置Ｑに移動する過程では、図心Ｐの回動軌跡を通る接線が中指Ｆ２の中心Ｏ２を通る時点も存在する。
【００５９】
すなわち、回動部２８の回動が進むと、押圧領域２８２の図心Ｐの回動軌跡Ｔの接線が中指Ｆ２の中心Ｏ２を通り、その後、薬指Ｆ３の中心Ｏ３を通るようになる。従って、回動部２８の回動の過程において、押圧領域２８２を押圧する力を中指Ｆ２または薬指Ｆ３などにより支えやすくなるので、エアゾール容器１全体に生じるモーメントが抑制され得ると考えられる。仮に取手部２６の第２の領域２６４の指掛け領域２６６側の面が接線Ｌ１と平行であった場合、回動部２８の回動が進むと、図９を紙面に向かって見た場合の反時計周りの方向にアクチュエータ２０およびエアゾール容器１を回転させようとするモーメントが発生すると考えられる。このため、第２の領域２６４の外周側から当該モーメントに抗するための力を利用者が加える必要が生じることが懸念される。本発明の実施形態によれば、当該モーメントに抗するための力を低減し得る。
【００６０】
＜応用例：ロックピン＞
以上、本発明の実施形態を説明した。続いて、本発明の実施形態の応用例を説明する。本発明の実施形態の応用例は、待機状態において利用者の意図に反して内容液が吐出されることを防止するためのロックピンに関する。
【００６１】
図１０は、ロックピン４０の斜視図である。図１０に示したように、ロックピン４０は、把持部４２、軸部４４、および先端部４６を有する。把持部４２は、利用者がロックピン４０を把持する部分である。軸部４４は、把持部４２から一方向に延出する。軸部４４は、軸部４４の延出方向と交差（直交）する方向に沿って形成された凸部４５を有する。先端部４６は、軸部４４の把持部４２と反対側に位置し、軸部４４よりも細く形成されている。
【００６２】
図１１は、応用例によるアクチュエータ２０の外観を示す説明図である。図１１に示したように、応用例によるアクチュエータ２０の基台２４の上面２５７は、ピンガイド突起２５８ａおよび２５８ｂを有する。ピンガイド突起２５８ａおよび２５８ｂは、前後方向上で離隔して配置される。図１１に示された基台２４の幅方向の反対側にも同様に、ピンガイド突起２５８ａおよび２５８ｂが配置される。アクチュエータ２０の他の構成はここまでで説明した通りである。
【００６３】
また、ピンガイド突起２５８ａおよび２５８ｂの間隔部分を通る幅方向線上には、図１１に示したように、第１のガイド部２４４、第２のガイド部２５０および突出部２８９で囲われるピン挿入孔２５９が位置する。ロックピン４０の軸部４４は、ピンガイド突起２５８ａおよび２５８ｂの間隔部分、および当該ピン挿入孔２５９に挿入される。
【００６４】
ここで、ロックピン４０は軸部４４より細く形成された先端部４６を有するので、ロックピン４０を先端部４６からピン挿入孔２５９に挿入し易い。第２のガイド部２５０は、図示しない上下方向に沿った縦溝を有し、当該縦溝とロックピン４０の凸部４５が係合することにより、ロックピン４０が幅方向上で位置決めされる。また、ロックピン４０はピンガイド突起２５８ａおよび２５８ｂに挟まれるので、ロックピン４０が安定的に支持される。
【００６５】
ロックピン４０がピン挿入孔２５９に挿入されると、突出部２８９がロックピン４０に当接することにより、回動部２８の回動が規制される。また、ステム嵌合部材２２の第２の板部２２６がロックピン４０に当接することにより、ステム嵌合部材２２の上下移動が規制される。従って、ロックピン４０がピン挿入孔２５９に挿入された状態においては、利用者の意図に反してステム１６が押下げられること、および内容液が吐出されることを防止することが可能である。
【００６６】
＜補足＞
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【００６７】
例えば、図８を参照して待機状態における接線Ｌ１上に指掛け領域２６６が位置する例を説明したが、押圧領域２８２と指掛け領域２６６との位置関係はかかる例に限定されない。例えば、回動部２８によりステム嵌合部材２２が押下げられている状態における図心Ｐを通る回動軌跡の接線上に指掛け領域２６６が位置してもよい。この場合、ステム嵌合部材２２が押下げられている状態において、押圧領域２８２に加えられた力により生じるアクチュエータ２０およびエアゾール容器１のモーメントが抑制されるので、利用者はより少ない力で押圧状態を維持することが可能である。
【００６８】
また、上記では、容器本体１０へのアクチュエータ２０の装着を簡易に実現するために連結部材１２が設けられる例を説明したが、容器本体１０にアクチュエータ２０が直接装着されてもよい。例えば、マウンテンカップ１４の環状突出部１４ａに嵌合する環状溝を基台２４が有することにより、容器本体１０にアクチュエータ２０を直接装着可能である。
【符号の説明】
【００６９】
１  エアゾール容器
１０  容器本体
１４  マウンテンカップ
１４ａ  環状突出部
１６  ステム
１２  連結部材
１２１  環状溝
１２２  開口
１２４  螺合部
１２６  下端縁部
２０  アクチュエータ
２２  ステム嵌合部材
２２０  筒状部
２２１  中空部
２２２  開口
２２４  張出部
２２５  第１の板部
２２６  第２の板部
２２８  天面
２３０  ノズル部
２３２  吐出口
２３４  流路
２４  基台
２４１  螺合部
２４２  開口
２４３  回動規制面
２４４  第１のガイド部
２４６  縦穴
２４７  当接面
２５０  第２のガイド部
２５２  垂直面部
２５４  水平面部
２５６  薄肉部
２５７  上面
２５８ａ、２５８ｂ  ピンガイド突起
２５９  ピン挿入孔
２６  取手部
２６２  第１の領域
２６４  第２の領域
２６６  指掛け領域
２８  回動部
２８２  押圧領域
２８４  回動規制フック
２８６  爪
２８８  当接部
２８９  突出部
４０  ロックピン
４２  把持部
４４  軸部
４５  凸部
４６  先端部
【図１】
2019051956.tif 000003
【図２】
2019051956.tif 000004
【図３】
2019051956.tif 000005
【図４Ａ】
2019051956.tif 000006
【図４Ｂ】
2019051956.tif 000007
【図５】
2019051956.tif 000008
【図６】
2019051956.tif 000009
【図７】
2019051956.tif 000010
【図８】
2019051956.tif 000011
【図９】
2019051956.tif 000012
【図１０】
2019051956.tif 000013
【図１１】
2019051956.tif 000014
【図１２】
2019051956.tif 000015